(57)【要約】【課題】操作性を改善して検査効率を向上させることを可能とする超音波診断装置を提供する。【解決手段】超音波診断装置１は、超音波探触子３から送られる被検者の生体組織の超音波画像情報１７を取得する。超音波診断装置１は、超音波画像情報１７の断面種類に、相当するブルズアイ情報２３を対応づけて記憶部１３に保存する。また、超音波診断装置１は、ブルズアイ情報２３と計測情報１９とを対応づけて記憶部１３に保存する。ブルズアイ等の模式的な図柄を利用して、超音波画像の取得処理及び読出処理及び計測処理を統一的に行うことができる。また、操作者の直感的な操作が可能になり操作性が向上する。【選択図】図１
2008279095.tif 000002
【特許請求の範囲】
【請求項１】
被検体の断層像を示す超音波画像を取得する超音波画像取得手段と、
前記取得された超音波画像と断面種類を示すマークとを対応付けて記憶部に保持する保持手段と、
前記マークを選択可能に表示するマーク表示手段と、
選択された前記マークに対応する前記超音波画像を前記記憶部から読み出す超音波画像読出手段と、
前記選択されたマークと共に前記読み出された超音波画像を表示する超音波画像表示手段と、
を具備することを特徴とする超音波診断装置。
【請求項２】
前記超音波画像の臓器種類を選択する臓器選択手段を具備し、
前記マーク表示手段は、前記臓器選択手段によって所定の臓器が選択された場合に、前記マークを表示することを特徴とする請求項１に記載の超音波診断装置。
【請求項３】
前記表示された超音波画像において計測処理を行う計測手段を具備し、
前記保持手段は、前記計測手段によって計測された計測情報を前記超音波画像及び前記マークと対応付けて前記記憶部に保持し、
前記マーク表示手段は、前記マークと共に前記計測された計測情報を表示することを特徴とする請求項１または請求項２に記載の超音波診断装置。
【請求項４】
前記マーク表示手段は、前記超音波画像において未計測の計測項目が存在する場合には、前記未計測の計測項目を通知することを特徴とする請求項３に記載の超音波診断装置。
【請求項５】
前記マーク表示手段は、前記マークに対応する超音波画像が存在しない場合には、前記未取得の超音波画像を通知することを特徴とする請求項１から請求項４までのいずれかに記載の超音波診断装置。
【請求項６】
前記マークは、前記断面種類を示すブルズアイを含むことを特徴とする請求項１から請求項５までのいずれかに記載の超音波診断装置。
【発明の詳細な説明】
【技術分野】
【０００１】
本発明は、被検体の生体組織を撮像して表示する超音波診断装置に関する。詳細には、超音波画像の表示及び生体組織の計測を行う超音波診断装置に関する。
【背景技術】
【０００２】
従来の超音波診断装置では、例えば被検体の心臓の超音波画像を取得する操作者は、取得した超音波画像に心臓断面の模式図からなるボディ−マークを付与する。続いて操作者は、画面上に表示された超音波画像を基にして計測を行い、計測値を超音波画像が表示された同一画面上に重畳表示し、超音波画像と計測値の表示された画面を画像情報として記憶部に保存していた。操作者は、複数の他の心臓断面についても同様の操作を繰り返していた。
【０００３】
また、被検体の超音波画像取得時に、操作者が被検体の模式を示すボディーマークを選択すると、当該ボディーマークに該当する教師画像を画面に表示させて、操作者の超音波画像取得を補助する超音波診断装置が提案されている（「特許文献１」参照）。
また、心筋の壁厚変化速度を心機能の指標として表示するためにブルズアイマップ表示を利用する超音波診断装置が提案されている（「特許文献２」参照）。
【０００４】
【特許文献１】特開２００２−２５４１２５号公報
【特許文献２】特開平１１−１５５８６２号公報
【発明の開示】
【発明が解決しようとする課題】
【０００５】
しかしながら、従来は超音波画像取得と計測とを同時に行うことを前提としているため、被検者に超音波探触子を当てながら超音波画像を取得する検査技師と、超音波画像を計測する検査技師と、診断を行う医師とが役割を分担して医療検査業務の効率向上を目指すことは不便であった。また、超音波診断装置による検査、計測、診断の作業をそれぞれ遠隔地で行うことができなかった。
【０００６】
また、取得した超音波画像の中から目的の画像を記憶装置から検索して読み出す際に、被検者ごとに記録された画像ファイルから該当する断面画像を抽出する操作が複雑であるという問題点があった。
【０００７】
また、従来、取得した超音波画像に付与する心臓断面の模式図からなるボディ−マークは、当該超音波画像に対応する断面種類を示すマークを表示させるものであり、記録した超音波画像を検索する機能は備えていない。
また、従来のボディ−マークは、超音波画像の取得漏れや計測洩れ等をチェックする機能を備えていない。
【０００８】
「特許文献１」による模式図（各種マーク）は、模式図を選択操作することにより、超音波画像取得の指標となる教師画像を読み出して表示させる超音波画像取得補助機能を有するが、当該模式図は超音波画像の取得を効率的に補助する機能や、超音波画像の取得洩れをチェックする機能は具備していない。
【０００９】
「特許文献２」によるブルズアイマップ表示は、心臓領域ごとの心機能情報の表示に利用するものであり、超音波画像取得を効率的に補助する機能や、超音波画像取得洩れをチェックする機能は具備していない。
【００１０】
本発明は、このような問題を鑑みてなされたもので、その目的とするところは、操作性を改善して検査効率を向上させることを可能とする超音波診断装置を提供することである。
【課題を解決するための手段】
【００１１】
前述した目的を達成するための本発明は、被検体の断層像を示す超音波画像を取得する超音波画像取得手段と、前記取得された超音波画像と断面種類を示すマークとを対応付けて記憶部に保持する保持手段と、前記マークを選択可能に表示するマーク表示手段と、選択された前記マークに対応する前記超音波画像を前記記憶部から読み出す超音波画像読出手段と、前記選択されたマークと共に前記読み出された超音波画像を表示する超音波画像表示手段と、を具備することを特徴とする超音波診断装置である。
【００１２】
本発明の超音波診断装置は、被検体の断層像を示す超音波画像を取得し、超音波画像と断面種類を示すマークとを対応付けて記憶部に保持する。また選択されたマークに対応する超音波画像を記憶部から読み出し、選択されたマークと共に読み出された超音波画像を表示する。マークは、超音波画像の断面種類を示す模式的な図柄である。
【００１３】
これにより、超音波画像とマークとが対応付けられて記憶部に保持されるので、このマークを介して操作を行うことにより超音波画像の検索を効率よく行うことができる。
【００１４】
また、超音波診断装置は、超音波画像の臓器種類を選択する手段を備え、所定の臓器が選択された場合にマークを表示してもよい。
これにより、所定の臓器（例えば心臓）が選択された場合に、所定の臓器の断面種類別にマークを対応させることにより、操作者の操作性を向上させ、識別性を高めて作業効率を向上させることができる。
【００１５】
また、超音波診断装置は、表示された超音波画像において計測処理を行い、計測された計測情報を超音波画像及びマークと対応付けて記憶部に保持し、マーク表示手段は、マークと共に計測された計測情報を表示してもよい。
また、マーク表示手段は、未計測の計測項目が存在する場合に、未計測の計測項目を通知するようにしてもよい。
【００１６】
このように、計測情報とマークとを対応付けて保持し、マークと共に計測情報を表示するので、当該マークに対応する計測情報を俯瞰することができ、漏れや重複なく効率的な計測処理を行うことができる。
【００１７】
また、マーク表示手段は、マークに対応する超音波画像が存在しない場合には超音波画像が未取得であることを通知するようにしてもよい。即ち、マークに対応する断面種類の超音波画像が未取得であることを通知するようにしてもよい。
このように、マーク表示と超音波画像が対応しているので、未取得の超音波画像があることを容易に検出することができる。
【００１８】
尚、マークとして、線図、図形、画像、記号、文字列、模式図、コード、ブルズアイ等を用いることができる。ブルズアイは、心臓の左室の心筋の位置を１６分割し、同心円状の１６の位置に対応させ、心臓の計測値等を表すために従来からよく利用されている表示方法である。操作者や医師等の医療従事者が見慣れたブルズアイを、断面種類を示すマークとして用いることで、操作者の直感的な操作を可能とする。
【発明の効果】
【００１９】
本発明によれば、操作性を改善して検査効率を向上させることを可能とする超音波診断装置を提供することができる。
【発明を実施するための最良の形態】
【００２０】
以下添付図面を参照しながら、本発明に係る超音波診断装置の好適な実施形態について詳細に説明する。
【００２１】
（１．超音波診断装置１の構成）
最初に、図１を参照しながら、超音波診断装置１の構成について説明する。
図１は、超音波診断装置１の構成図である。
【００２２】
超音波診断装置１は、被検体に超音波を送信して生体組織からの反射波を受信することにより診断部位の超音波画像を表示する装置である。超音波診断装置１は、超音波の送受信を行う超音波探触子３と、操作者が操作を行う操作部５と、超音波画像取得や計測等の処理を行う演算処理部６と、取得した超音波画像情報や被検者情報等を記憶する記憶部１３と、取得した超音波画像情報を表示する表示部１５等を備える。
【００２３】
超音波探触子３は、被検体に超音波を送信し生体組織からの反射波を受信する装置である。超音波探触子３は受信した反射波を電気信号に変換して演算処理部６に送る。
操作部５は、超音波診断装置１に配置されているキーボード、マウス、トラックボール、タッチパネル等の入力機器である。操作者は、操作部５を操作して超音波装置１による超音波画像取得操作、計測操作の指示、情報の入力等を行う。
【００２４】
演算処理部６は、ＣＰＵ（Ｃｅｎｔｒａｌ  Ｐｒｏｃｅｓｓｉｎｇ  Ｕｎｉｔ）やメモリを備える。ＣＰＵは、記憶部１３等に格納される制御プログラム（図示せず。）をメモリにロードして実行する。演算処理部６は、超音波画像取得部７と計測部９と超音波画像読出部１１等を備える。
【００２５】
超音波画像取得部７は、超音波探触子３に、被検体の超音波画像取得を指示する制御信号を送信する。超音波画像取得部７は、超音波探触子３が被検体の生体組織に超音波を送信し反射波を変換して得る電気信号を処理して、被検体の生体組織の超音波画像を取得する。
【００２６】
計測部９は、超音波画像取得部７で得られた超音波画像を基にして、操作者の指示により各種計測を行う。例えば、患部の距離、管径、容積計算、ストレイン計測等の項目が計測される。
【００２７】
超音波画像読出部１１は、超音波画像取得部７で得られ記憶部１３に保存された超音波画像を読み出す。読み出された超音波画像は、医師等の医療従事者により診断画像として利用される。また、読み出された超音波画像を基にして、操作者は各種計測を行うことができる。
【００２８】
記憶部１３は、例えば、ハードディスクや汎用メモリやフレームメモリ等である。記憶部１３は、超音波画像情報１７、計測情報１９、被検者情報２１、ブルズアイ情報２３、対応テーブル２５、制御プログラム等を保持する。対応テーブル２５は、超音波画像情報１７と計測情報１９と被検者情報２１とブルズアイ情報２３との対応づけを示すテーブルである。記憶部１３についての詳細については後述する。
【００２９】
表示部１５は、ＣＲＴや液晶表示装置等である。表示部１５は、超音波画像取得部７が取得する超音波画像や、超音波画像読出部１１が記憶部１３から読み出した超音波画像等を表示する。また、表示部１５は、超音波画像情報１７と共に計測情報１９、被検者情報２１、ブルズアイ情報２３等を表示するようにしてもよい。
【００３０】
（２．記憶部１３の構成）
次に、図２を参照しながら、記憶部１３の構成について説明する。
図２は、記憶部１３の構成図である。
【００３１】
記憶部１３は、超音波画像情報１７、計測情報１９、被検者情報２１、ブルズアイ情報２３、対応テーブル２５等を保持する。
超音波画像情報１７は、超音波画像取得部７により取得され保存された被検体の生体組織の超音波画像２７である。
【００３２】
計測情報１９は、各超音波画像２７を基に計測部９により計測され格納された情報である。計測情報１９は、超音波画像２７ごとに所定の計測項目１８が設定され、計測値２０が格納される。
被検者情報２１は、被検者に関する情報が格納される。被検者情報２１として、例えば被検者名３５、生年月日３０、検査日３１、性別、住所等の項目がある。
ブルズアイ情報２３は、心臓の超音波画像情報１７（心エコー図）の断面種類２８に対応づけられるブルズアイ４１に関する情報である。ブルズアイ情報２３は、心臓の断面種類２８（例えば「心尖部短軸断面」）に、当該断面種類２８を示すマークであるブルズアイ４１と計測項目１８とを対応づける。
【００３３】
ブルズアイ４１は、従来、心臓の左室心筋を分割し、各部位に付番して心筋運動の計測表示等に用いる模式的な図柄のマークである。
図３は、ブルズアイ４１を示す図である。図３は、心臓の左室心筋の位置をＡＳＥ（Ａｍｅｒｉｃａｎ  Ｓｏｃｉｅｔｙ  ｏｆ  Ｅｃｈｏｃａｒｄｉｏｇｒａｐｈｙ）１６分画として分割し同心円状の１６の位置に対応させたブルズアイ４１を示す。ＡＳＥ１６分画の位置「１３、１４、１５、１６」を示すブルズアイ４１（図２）は、心臓左室の断面種類２８「心尖部短軸断面」を示すものである。他のＡＳＥ１６分画の位置による断面種類２８とブルズアイ表示との対応は、例えば後述する図５のブルズアイ４１−１〜ブルズアイ４１−６に示す。
【００３４】
対応テーブル２５は、超音波画像情報１７と計測情報１９と被検者情報２１とブルズアイ情報２３との対応づけを示す。例えば、超音波画像情報１７と計測情報１９及びブルズアイ情報２３とは、１：１で対応づけられる。
被検者情報２１とブルズアイ情報２３とが確定すると、対応テーブル２５を参照して、当該被検者情報２１と当該ブルズアイ情報２３に対応づけられる超音波画像情報１７や計測情報１９を抽出することができる。
【００３５】
尚、同一断面種類であっても取得日や時相が異なる複数の超音波画像情報１７が存在することもあるが、この場合には画像取得日が最近の超音波画像を最初に表示させたり、複数の時相の超音波画像を並べて表示させるようにしてもよい。また、画像取得日や時相に関する情報を超音波画像情報１７等に対応付けて保持し、画像取得日や時相の指定が行われた時には該当する超音波画像情報１７等を読み出すようにしてもよい。
【００３６】
（３．超音波画像の取得処理）
次に、図４及び図５を参照しながら、超音波画像の取得処理について説明する。
図４は、超音波画像の取得処理を示すフローチャートである。
図５は、超音波画像取得画面３３およびブルズアイ４１の表示を示す図である。
【００３７】
操作者によって、操作名３９「超音波画像取得」（図５）が選択されると、超音波診断装置１は被検者の超音波画像取得を行う。
超音波画像取得画面３３には、超音波画像２７、被検者名３５の入力欄、臓器名３７の入力欄、操作名３９の入力欄、ブルズアイ４１が表示され、ブルズアイ選択ボタン４３や保存ボタン４５が配置される。
【００３８】
操作者が被検者に超音波探触子３を当てて生体組織の超音波画像２７の取得を指示すると、超音波診断装置１の超音波画像取得部７（図１）は、超音波画像２７を取得して表示部１５に表示する（ステップ１００１）。
超音波画像取得部７は、操作者が超音波画像取得画面３３から選択或いは入力した被検者名３５と、臓器名３７とを得る（ステップ１００２、ステップ１００３）。
【００３９】
臓器名３７が「心臓」でなければ（ステップ１００４のＮＯ）、超音波診断装置１は従来の操作を行う。即ち、超音波診断装置１は、被検者名３５と臓器名３７と取得した超音波画像２７とを対応付けて記憶部１３に保存する（ステップ１００５）。
臓器名３７が「心臓」の場合（ステップ１００４のＹＥＳ）、超音波診断装置１は表示部１５の超音波画像取得画面３３にブルズアイ４１を表示する（ステップ１００６）。
【００４０】
ブルズアイ４１−１〜ブルズアイ４１−６は、それぞれ心臓左室の断面種類２８に対応する。ブルズアイ４１−１は心尖部短軸断面、ブルズアイ４１−２は乳頭筋短軸断面、ブルズアイ４１−３は基部短軸断面、ブルズアイ４１−４は心尖部四腔断面、ブルズアイ４１−５は長軸断面、ブルズアイ４１−６は心尖部二腔断面を示す。操作者がブルズアイ選択ボタン４３を操作することによってブルズアイ４１−１〜ブルズアイ４１−６のいずれかに表示を切換えることができる。尚、ブルズアイ選択ボタン４３に代えてダイヤルを設け、ダイヤル操作によりブルズアイ４１の切換を行うようにしてもよい。
【００４１】
操作者によって、取得した超音波画像２７に対応する断面種類２８を示すブルズアイ４１の指定を受け（ステップ１００７）、保存ボタン４５が押下されると、超音波診断装置１は超音波画像２７に関する超音波画像情報１７と、被検者情報２１と、選択されたブルズアイ４１に関するブルズアイ情報２３とを対応づけて記憶部１３に保存する（ステップ１００８）。また、超音波診断装置１は当該超音波画像情報１７と、被検者情報２１と、ブルズアイ情報２３の対応づけに関する情報を対応テーブル２５に保存する。
【００４２】
尚、臓器名３７が「心臓」ではないときは、ブルズアイ情報２３を利用しないで従来どおりの保存方法を行うとしたが、ブルズアイ情報２３に限らず操作者にとって直感的に臓器の断面種類を判り易くするために、他のマークや図形、記号等を超音波画像２７に対応させて保存するようにしてもよい。
また、計測については後述するが、操作者は、超音波画像２７の取得と同時に、表示部１５に表示された超音波画像２７を基にして計測を行うようにしてもよい。
【００４３】
このように、超音波診断装置１は、所定の臓器（「心臓」）の超音波画像２７を、断面種類を示すブルズアイ４１と対応させて記憶部１３に保存するので、操作者にとっては従来見慣れているブルズアイ４１を直感的に利用することができ操作性を向上させる効果が大きい。
【００４４】
（４．超音波画像読出・計測処理）
次に、図６乃至図９を参照しながら、超音波画像の読出処理と計測処理について説明する。
図６は、超音波画像読出・計測処理を示すフローチャートである。
図７は、超音波画像読出画面４７を示す図である。
【００４５】
既に超音波診断装置１には、被検者の超音波画像情報１７が記憶部１３に保存されている。操作者によって、操作名３９「超音波画像読出」が選択されると、超音波診断装置１は超音波画像読出を行う。
【００４６】
超音波画像読出画面４７には、記憶部１３から読み出される超音波画像４９、被検者名３５の入力欄、臓器名３７の入力欄、操作名３９の入力欄、ブルズアイ４１、計測情報５１（計測項目及び計測値）が表示され、ブルズアイ選択ボタン４３が配置される。計測情報５１は、ブルズアイ４１と共に対応付けられて表示される。
【００４７】
超音波画像読出部１１は、操作者により超音波画像読出画面４７から選択或いは入力された被検者名３５と、臓器名３７とを得る（ステップ２００１、ステップ２００２）。
【００４８】
臓器名３７が「心臓」でなければ（ステップ２００３のＮＯ）、超音波診断装置１は従来の操作を行う。即ち、超音波診断装置１は、被検者名３５と臓器名３７とから、超音波画像と計測情報を記憶部１３から読み出す（ステップ２００４）。
臓器名３７が「心臓」の場合（ステップ２００３のＹＥＳ）、超音波診断装置１は表示部１５の超音波画像読出画面４７にブルズアイ４１を表示する（ステップ２００５）。
操作者は、ブルズアイ選択ボタン４３を操作することによってブルズアイ４１−１〜ブルズアイ４１−６のいずれかを選択し、読み出す超音波画像４９に対応するブルズアイ４１を表示させる。
【００４９】
操作者によって、読み出す超音波画像４９に対応する断面種類２８を示すブルズアイ４１の指定を受けると（ステップ２００６）、超音波診断装置１は被検者情報２１と、選択されたブルズアイ４１に関するブルズアイ情報２３とに対応する超音波画像４９に関する超音波画像情報１７を、対応テーブル２５を参照して記憶部１３から読み出す。また、超音波診断装置１は当該超音波画像情報１７に対応する計測情報１９を記憶部１３から読み出す（ステップ２００７）。
【００５０】
操作者により指定されたブルズアイ４１に対応する超音波画像が未取得の場合（ステップ２００８のＹＥＳ）、超音波診断装置１は通知文等を表示して警告を行う（ステップ２００９）。
【００５１】
図８は、超音波画像読出画面５３を示す図である。
ブルズアイ４１−４で指定された超音波画像が未取得なので、超音波画像読出画面５３に超音波画像は表示されず、「心尖部四腔断面の超音波画像はありません。」の通知文５５が表示される。また、超音波画像が未取得のため、計測情報５７も未計測なので、「未計測です」の通知文６９が表示される。
【００５２】
図６に戻り、操作者により指定された超音波画像４９を超音波画像読出画面４７に表示する（ステップ２００８のＮＯ、ステップ２０１０）。
未計測の計測項目１８がある場合（ステップ２０１１のＹＥＳ）、超音波診断装置１は、未計測の計測項目１８をブルズアイ４１と共に表示する（ステップ２０１２）。
超音波診断装置１は、計測情報５１をブルズアイ４１と共に表示部１５に表示する（ステップ２０１１のＮＯ、ステップ２０１３）。計測処理が行われない場合（ステップ２０１４のＮＯ）、超音波診断装置１は処理を終了する。
【００５３】
操作者は、未計測の計測項目１８がある場合や、再計測を行う場合には、操作名３９を「超音波画像読出」から「計測」に切換える（ステップ２０１４のＹＥＳ）。超音波診断装置１の計測部９は、計測処理を行って計測情報１９を取得する（ステップ２０１５）。超音波診断装置１は、計測情報１９を超音波画像情報１７、ブルズアイ情報２３、被検者情報２１と対応づけて記憶部１３に保存する（ステップ２０１６）。
【００５４】
図９は、超音波画像計測画面６１を示す図である。
超音波画像計測画面６１では、計測情報６５−２及び計測情報６５−３は未計測なので「未計測です」の通知文５９が表示される。尚、操作名３９の入力に代えて未計測の計測情報６５−２あるいは計測情報６５−３に対してマウス操作すると計測処理に切り替わるようにしてもよい。操作者は、超音波画像６３において計測項目を選択した上で計測位置や計測領域を指定し、計測実行ボタン６７を押下すると、超音波診断装置１は計測処理を実行する。
【００５５】
このように、ブルズアイ４１に対応する計測項目１８は図２に示すブルズアイ情報２３に格納されているので、未計測の計測項目１８を直ちに抽出することができる。また、ブルズアイ情報２３に対応する計測情報１９を、表示部１５に一覧表示することができるので、計測漏れを防止することができる。
【００５６】
また、臓器名３７が「心臓」の場合に超音波画像の読出処理を行う際、従来見慣れているブルズアイ４１の種類を、読み出す断面種類２８と対応させているので、操作者が簡便にかつ直感的に超音波画像の読出操作を行うことができる。
また、超音波画像情報１７とブルズアイ情報２３とを対応付けて保存し、ブルズアイ４１を操作することにより、超音波画像の取得処理及び読出処理及び計測処理を統一的に行うことができる。
【００５７】
（５．その他）
本発明では、取得した超音波画像情報１７の断面種類２８を、ブルズアイ４１の種類に対応させて保存すると説明したが、ブルズアイ４１に限らず、マーク、線図、図形、画像、記号、文字列、模式図、コード等の少なくともいずれかを用いてもよい。また、生体組織（臓器）を心臓に限定せず他の臓器についても同様に断面種類を示す模式的な図柄のマークを用いてもよい。
【００５８】
本発明の超音波診断装置は、被検者を撮像して超音波画像情報を保存する操作者と、保存された超音波画像情報を読み出して計測を行う操作者と、保存された超音波画像情報と計測情報を読み出して読影及び診断を行う医師等の医療従事者とが、それぞれの作業を分担して行うことができるので医療検査業務の効率化の効果がある。また、それぞれの作業を遠隔地で行うことも可能であり、更に検査業務の効率化を図ることができる。
また、医療従事者が見慣れたブルズアイ等の模式的な図柄のマークを用いるので、直感的に操作しやすく、誤操作を防ぎ操作性を向上させる効果がある。
【００５９】
また、ブルズアイ等の模式的な図柄のマークに超音波画像の取得操作機能だけでなく、計測情報の表示や未計測項目の表示等の機能を持たせる。従って、マーク表示と共に当該マークに関連する超音波画像情報や計測情報、画像取得の有無や計測実施の有無を表示することにより、超音波画像の取得、読出、計測、診断等の一連の処理を俯瞰することができる。
またブルズアイは、超音波画像の取得、読出、計測、診断等の各処理を補助する機能を備える。
【００６０】
また、上述の実施形態では超音波診断装置について説明したが、超音波診断装置以外の装置、例えば、Ｘ線ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置に適用することもできる。
【００６１】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００６２】
【図１】超音波診断装置１の構成図
【図２】記憶部１３の構成図
【図３】ブルズアイ４１を示す図
【図４】超音波画像の取得を示すフローチャート
【図５】超音波画像取得画面３３を示す図
【図６】超音波画像読出・計測を示すフローチャート
【図７】超音波画像読出画面４７を示す図
【図８】超音波画像読出画面５３を示す図
【図９】超音波画像計測画面６１を示す図
【符号の説明】
【００６３】
１………超音波診断装置
３………超音波探触子
５………操作部
６………演算処理部
７………超音波画像取得部
９………計測部
１１………超音波画像読出部
１３………記憶部
１５………表示部
１７………超音波画像情報
１８………計測項目
１９、５１−１〜５１−３、５７、６５−１〜６５−３………計測情報
２１………被検者情報
２３………ブルズアイ情報
２５………対応テーブル
２７、４９、６３………超音波画像
２８………断面種類
４１、４１−１〜４１−６………ブルズアイ
３０………生年月日
３１………検査日
３３………超音波画像取得画面
３５………被検者名
３７………臓器名
３９………操作名
４３………ブルズアイ選択ボタン
４５………保存ボタン
４７、５３………超音波画像読出画面
５５、５９、５９………表示
６１………超音波画像計測画面
６７………計測ボタン
【図１】
2008279095.tif 000003
【図２】
2008279095.tif 000004
【図３】
2008279095.tif 000005
【図４】
2008279095.tif 000006
【図５】
2008279095.tif 000007
【図６】
2008279095.tif 000008
【図７】
2008279095.tif 000009
【図８】
2008279095.tif 000010
【図９】
2008279095.tif 000011